(57)【要約】      （修正有）【課題】携帯性があり、かつ、環境面の制約が少ないやり方で宅内個別化状況制御方法及びシステムを提供する。【解決手段】宅内個別化状況制御システムは、個別化状況制御装置と、少なくとも１つの中継装置と、複数の使用者の環境の中に置かれた少なくとも１つの感知装置とを有する。この状況制御装置は、状況リストを編集するために作用する。少なくとも１つの中継装置のうちの各々は、その環境の中の雰囲気を変更することができる電化製品モジュールに接続されており、状況制御装置から送信されたコマンドを受信しＳ４１、電化製品の運転状態を制御する。状況制御装置によって起動されると、その環境の中の複数の電化製品モジュールは、対応する中継装置によって制御され、対応する中継装置は状況リストに応じて、対応する感知装置によって指示されるＳ４４。【選択図】図５
2016010149.tif 000002
【特許請求の範囲】
【請求項１】
環境の中の状態の雰囲気を変更することができる複数の電化製品モジュールの運転状態を少なくとも１つの無線通信プロトコルを介して多様化させるための状況制御装置によって行われる宅内個別化状況制御方法であって、
上記複数の電化製品モジュールから送信された無線信号を受信する工程と、
上記無線信号によって表される情報を状況編集インターフェースから使用者が選択して少なくとも１つの状況リストを規定するために、状況編集インターフェースを準備する工程と、
状況モード実行コマンドが受信されたかどうかを判定する工程と、
対応する電化製品モジュールへ制御信号を無線送信し、上記対応する電化製品モジュールが上記少なくとも１つの状況リストの内容に応じて対応する動作を行い、宅内個別化状況効果を発生させる工程と
を含み、上記少なくとも１つの状況リストの各々は予め設定された識別コードを有する方法。
【請求項２】
感知モード信号が受信されたかどうかを判定する工程と、
識別コード及びこの識別コードに対応する上記少なくとも１つの状況リストのうちの１つを感知モジュールへ送信する工程と、
上記感知モジュールに対して、受信された状況リストに応じて操作を行って宅内個別化状況効果を発生させるように、対応する電化製品モジュールを制御するよう指示する工程と
をさらに含む請求項１に記載の方法。
【請求項３】
状況制御装置と、少なくとも１つの中継装置と、少なくとも１つの感知装置とを含む宅内個別化状況制御システムであって、
上記状況制御装置は、
第一無線モジュールと、
第二無線モジュールと、
複数の使用者が複数の個別化された状況リスト及びこの個別化された状況リストに対応する識別コードを規定するために作用し、かつデータ交換のためにそれぞれ上記第一無線モジュール及び上記第二無線モジュールを介して遠隔の機器と無線通信する操作インターフェースと
を有し、
上記少なくとも１つの中継装置のうちの各々は、
第三無線モジュールと、
少なくとも１つの信号入力端末と、
少なくとも１つの信号出力端末であって、この少なくとも１つの信号出力端末の各々が、環境の中の雰囲気を変更することができる電化製品モジュールに電気的に接続されており、かつ上記第三無線モジュールを介して上記状況制御装置の第一無線モジュールに無線接続された少なくとも１つの信号出力端末と
を有し、
上記少なくとも１つの感知装置の各々は、
上記感知装置が上記状況制御装置の第二無線モジュールに感知モード信号を送信する際に介する第四無線モジュールと、
上記感知装置が対応する中継装置の第三無線モジュールに無線接続する際に介する第五無線モジュールと
を有する宅内個別化状況制御システム。
【請求項４】
上記状況制御装置が、
筐体と、
上記筐体内に装着されたプロセッサと、
上記筐体内に装着されかつ上記プロセッサに電気的に接続された電力供給装置モジュールと、
上記筐体内に装着された記憶モジュールと、
上記筐体上に装着されかつ上記プロセッサに電気的に接続された入力モジュールと、
上記筐体上に装着されかつ上記プロセッサに電気的に接続されたディスプレイモジュールと、
上記筐体上に装着されかつ上記プロセッサに電気的に接続された生体情報取得モジュールと、
上記筐体上に装着されかつ上記プロセッサ及び上記電力供給装置モジュールに電気的に接続された太陽エネルギーモジュールと
を有する請求項３に記載のシステム。
【請求項５】
上記生体情報取得モジュールが、上記複数の使用者の生体情報を受け取り、情報セキュリティ及び機密保持のために、この生体情報を上記記憶モジュールに記憶する請求項４に記載のシステム。
【請求項６】
少なくとも１つの電化製品モジュールの各々が、
対応する中継装置の信号出力端末に電気的に接続された電化製品と、
上記対応する中継装置の上記信号入力端末に電気的に接続されたスイッチモジュールと
を有し、
上記複数の使用者のうちの一人が上記状況制御装置の上記操作インターフェース上で状況実行モードコマンドを入力すると、上記少なくとも１つの中継装置のうちの１つが、上記中継装置に接続された電化製品の運転状況を変更するための、上記状況制御装置から送信された制御信号を無線で受信する請求項５に記載のシステム。
【請求項７】
携帯装置をさらに含み、この携帯装置が、
第一電力ポートと、
上記第一電力ポートに電気的に接続されたバッテリモジュールと
を有し、上記状況制御装置の上記電力供給装置モジュールが、第二電力ポートを介して上記携帯装置の第一電力ポートに電気的に接続されている請求項６に記載のシステム。
【請求項８】
上記状況制御装置の上記第一無線モジュールが、データ交換のために、第一無線通信プロトコルを介して上記少なくとも１つの中継装置のうちの各々の上記第三無線モジュールと無線通信し、
上記状況制御装置の第二無線モジュールが、データ交換のために、第二無線通信プロトコルを介して上記少なくとも１つの感知装置のうちの各々の上記第四無線モジュールと無線通信し、
上記少なくとも１つの中継装置のうちの各々の第三無線モジュールが、データ交換のために、上記第一無線通信プロトコルを介して対応する感知装置の上記第五無線モジュールと無線通信する請求項３から請求項７のいずれか１項に記載のシステム。
【請求項９】
上記第一無線通信プロトコルがＺｉｇＢｅｅプロトコルであり、上記第二無線通信プロトコルがＲＦＩＤプロトコルである請求項８に記載のシステム。
【請求項１０】
上記電化製品が照明器具、空調機器、テレビ受像機、メディアプレーヤー、増幅器及び電動カーテンのうちのいずれかである請求項９に記載のシステム。
【発明の詳細な説明】
【技術分野】
【０００１】
本発明は制御システム及び方法に関し、より具体的には、各世帯構成員が家庭用電化製品を、世帯構成員自身が好む個別化された運転状態で制御するためのシステム及び方法に関する。
【背景技術】
【０００２】
技術的進歩に伴い、日々の家庭生活において操作の利便性及び効率を有する家庭用電化製品に対する人々のニーズが高まっている。具体的には、宅内環境下のすべての電化製品は無線で制御できるか、又はそれらは互いに通信できる。人々の日々の生活で用いられる電化製品としては、一般に、照明システム、温度制御システム、メディアプレーヤーシステム、監視システム、生体認証システム等が挙げられる。これらの電化製品に対する最も一般的な従来の制御は赤外線送受信機を介して行われる。しかしながら、このような制御手段は送信経路の障害物による妨害を受けやすいので、大きく広々とした環境に分散した電化製品を頻繁に制御する必要がある人々にとって不便を生じる。
【０００３】
台湾実用新案登録第Ｍ３７６０７６号、考案の名称「多重統合遠隔制御システム及び多重遠隔制御装置」に開示されるように、すべての家庭用電化製品を起動させるか又はそれらの電化製品を所望の運転状況に調整するために多重統合遠隔制御装置が提案され、これは、ある環境の中にある複数の電化製品をＺｉｇＢｅｅ（ジグビー）系ネットワークを介して遠隔制御するために無線プロトコルＺｉｇＢｅｅをサポートし、筐体と、記憶モジュールと、キー入力モジュールと、マイクロプロセッサモジュールとを有する。この記憶モジュールは筐体内に装着されている。キー入力モジュールは筐体上に装着されている。マイクロプロセッサは筐体内に装着されており、記憶モジュール及びキー入力モジュールに電気的に接続されている。
【０００４】
上記マイクロプロセッサモジュールは、結合部と、制御部と、状況記憶部と、状況復元部とを有する。結合部は、予め設定された電化製品の特定の機能を結びつける。制御部は、その予め設定された電化製品を遠隔制御して、その特定の機能を行わせる。状況記憶部は、結合部によって結びつけられたすべての電化製品の現在の運転状態を記憶する。状況復元部は、結合部によって結びつけられたそれらすべての電化製品の運転状態を状況記憶部に記憶された運転状態へと戻すように制御部を動作させる。
【０００５】
上記多重統合遠隔制御装置は赤外線送受信機の信号送信経路の障害物による妨害の問題を解決し、かつ電化製品をその電化製品の記憶された運転状態へと戻すためのコマンドを入力するキー入力モジュールを備えるが、この多重統合遠隔制御装置によってもたらされる制御効果は、記憶された運転状態を運転中に使用者が読み出すために電化製品の機能の状態を記憶する一定の効果に関しては極めて限定的である。加えて、広々とした宅内環境の中を頻繁に動き回るか、その環境の中で電化製品の位置を変えるか、又は電化製品に関する異なる設定嗜好を有する使用者らにとっては、上記の結合手段は、家族のすべての構成員の間で混乱、面倒を引き起こし、又は対立さえも引き起こす。
【発明の概要】
【発明が解決しようとする課題】
【０００６】
本発明の目的は、宅内環境下にある複数の電化製品の運転状況から家族のすべての構成員が無線通信及び感知（センシング）を介して携帯性がありかつ環境面の制約が少ないやり方で調整された個別化された雰囲気を作り出すための宅内個別化状況制御方法及びそのシステムを提供することである。
【課題を解決するための手段】
【０００７】
上記目的を成し遂げるために、本発明の宅内個別化状況制御方法は、環境の中の雰囲気又は状態を変更することができる複数の電化製品モジュールの運転状態を少なくとも１つの無線通信プロトコルを介して多様化させるための状況制御装置によって行われ、当該方法は、
上記複数の電化製品モジュールから送信された無線信号を受信する工程と、
上記無線信号によって表される情報を状況編集インターフェースから使用者が選択して少なくとも１つの状況リストを規定するために、状況編集インターフェースを準備する工程と、
状況モード実行コマンドが受信されたかどうかを判定する工程と、
対応する電化製品モジュールへ制御信号を無線送信し、上記対応する電化製品モジュールが上記少なくとも１つの状況リストの内容に応じて対応する動作を行い、宅内個別化状況効果を発生させる工程と
を有し、上記少なくとも１つの状況リストの各々は予め設定された識別コードを有する。
【０００８】
上記の宅内個別化状況制御方法によれば、使用者は状況制御装置を利用して、複数の電化製品モジュールから送信された無線信号を受信することができ、個別化された状況リストの内容及びその状況リストに対応する識別コードを状況編集インターフェース上で規定することができる。使用者が状況制御装置を操作して状況モード実行コマンドを入力すると、状況制御装置は、制御信号を対応する電化製品モジュールに無線送信し、この対応する電化製品モジュールが、上記状況リストの内容に応じて運転状態を変更して、携帯性がありかつ環境面の制約が少ないやり方で宅内個別化状況効果を発生させ、これにより宅内個別化状況効果を実現するに際しての操作の利便性及び柔軟性が増進される。
【０００９】
上記目的を成し遂げるために、上記宅内個別化状況制御システムは、状況制御装置と、少なくとも１つの中継装置と、少なくとも１つの感知装置とを有する。
【００１０】
上記状況制御装置は、第一無線モジュールと、第二無線モジュールと、操作インターフェースとを有する。
【００１１】
上記操作インターフェースは、複数の使用者が、複数の個別化された状況リスト及びそれら個別化された状況リストに対応する識別コードを規定するために作用し、そしてデータ交換のためにそれぞれ第一無線モジュール及び第二無線モジュールを介して遠隔の機器と無線通信する。
【００１２】
上記少なくとも１つの中継装置のうちの各々は、第三無線モジュールと、少なくとも１つの信号入力端末と、少なくとも１つの信号出力端末とを有する。
【００１３】
上記少なくとも１つの信号出力端末の各々は、環境の中の雰囲気を変更することができる電化製品モジュールに電気的に接続されており、上記第三無線モジュールを介して状況制御装置の第一無線モジュールに無線接続されている。
【００１４】
上記少なくとも１つの感知装置の各々は第四無線モジュール及び第五無線モジュールを有する。
【００１５】
上記第四無線モジュールは、上記感知装置が第四無線モジュールを介して状況制御装置の第二無線モジュールに感知モード信号を送信するために作用する。
【００１６】
上記第五無線モジュールは、上記感知装置が第五無線モジュールを介して対応する中継装置の第三無線モジュールに無線接続するために作用する。
【発明の効果】
【００１７】
上記宅内個別化状況制御システムによれば、上記個別化状況制御装置は、使用者が個別化された状況リスト及びそれら状況リストに対応する識別コードを、操作インターフェースを介して編集することを可能にし、この個別化状況制御装置は、使用者が存在している環境の中にある上記少なくとも１つの中継装置及び対応する感知装置に、無線通信及びデータ交換のために無線接続するために第一無線モジュール及び第二無線モジュールを採用する。この少なくとも１つの中継装置のうちの各々は、当該環境の雰囲気を変更することができる少なくとも１つの電化製品モジュールに電気的に接続されており、状況リストの内容に応じてそれら少なくとも１つの電化製品モジュールの運転状態を制御する。使用者が複数の電化製品モジュールとともに異なる環境へと移動すると、状況制御装置は、対応する感知装置から送信された感知モード信号を受信することができ、そして感知装置が中継装置に対して、電化製品モジュールの運転状態を状況リストの内容に応じて変更して宅内個別化状況効果を発生させるように指示するために、対応する感知装置を起動させて、感知装置の第五無線モジュールを介して中継装置の第三無線モジュールと無線通信することができる。従って、この状況制御装置は、携帯性がありかつ環境面の制約が少ないやり方で編集可能で個別化された宅内状況効果を発生させて、これにより宅内個別化状況効果を実現するに際しての操作の利便性及び柔軟性を増進するために採用されうる。
【００１８】
本発明の他の目的、利点及び新規な特徴は、添付の図面と合わせて考察すれば以下の詳細な説明からより明らかになるであろう。
【図面の簡単な説明】
【００１９】
【図１】本発明に係る宅内個別化状況制御システムの第一実施形態の概略図である。
【図２】図１の宅内個別化状況制御システムの機能ブロック図である。
【図３】図１の宅内個別化状況制御システムを用いた実施例の概略図である。
【図４】本発明に係る宅内個別化状況制御システムの第二実施形態の機能ブロック図である。
【図５】動作モードで動作している本発明に係る宅内個別化状況制御方法のフロー図である。
【図６】感知モードで動作している本発明に係る宅内個別化状況制御方法のフロー図である。
【発明を実施するための形態】
【００２０】
図１及び図２に示すように、本発明に係る宅内個別化状況制御システムは、状況制御装置１０と、少なくとも１つの中継装置２０と、少なくとも１つの感知装置３０とを有する。状況制御装置１０は携帯性があり、外部機器と無線通信して少なくとも１つの無線プロトコルを介してそれとの間でデータを交換し、そして操作インターフェースを有する。この操作インターフェースは、個別化された状況リスト及びその状況リストに対応する識別コードを使用者が規定するために作用する。上記少なくとも１つの中継装置２０の各々は、周囲環境の中の雰囲気又は状態を変更することができる電化製品に接続されており、これは照明モジュール、メディアプレーヤーモジュール、放送モジュール、空調モジュール、電動カーテンモジュールなどであってもよい。本実施形態では、少なくとも１つの中継装置２０の各々が電化製品モジュールに接続されて、電力供給装置の電力を電化製品モジュールへ接続するか、又は電化製品モジュールから切断する。この電化製品モジュールは照明モジュール２１及びスイッチモジュール２２を有する。中継装置２０は、無線プロトコルを介して状況制御装置１０から送信された、電化製品モジュールの運転状況を制御するためのコマンドを無線で受信する。感知装置３０が中継装置２０に対して電化製品モジュールの運転状況を制御するように指示するために、状況制御装置１０は、感知装置３０を別の無線プロトコルを介して無線で起動させる。
【００２１】
状況制御装置１０は、筐体と、第一無線モジュール１１と、第二無線モジュール１２とを有する。この筐体は名刺の形態をとっている。状況制御装置１０の操作インターフェースは、データ交換のために、それぞれ第一無線モジュール１１及び第二無線モジュール１２を介して中継装置２０及び感知装置３０と無線通信する。第一無線モジュール１１及び第二無線モジュール１２は、それぞれ第一無線プロトコル及び第二無線プロトコルに準拠している。本実施形態では、状況制御装置１０はさらに、筐体内に装着されたプロセッサ１３、電力供給装置モジュール１４及び記憶モジュール１７、並びに筐体上に装着された入力モジュール１５、ディスプレイモジュール１６、生体情報取得モジュール１８及び太陽エネルギーモジュール１９を有する。プロセッサ１３は、電力供給装置モジュール１４、入力モジュール１５、ディスプレイモジュール１６、記憶モジュール１７及び生体情報取得モジュール１８に電気的に接続されている。電力供給装置モジュール１４は、太陽エネルギーモジュール１９に電気的に接続されている。
【００２２】
電力供給装置モジュール１４は、動作電力を状況制御装置１０に供給するために作用する。太陽エネルギーモジュール１９は、太陽エネルギーを受け取って電気エネルギーを電力供給装置モジュール１４に出力するために作用する。入力モジュール１５は、使用者が自ら規定した個別化された状況リスト及び識別コードを入力するために作用する。ディスプレイモジュール１６は、使用者が入力した関連情報を使用者が見るためにそれを表示するために作用する。入力モジュール１５及びディスプレイモジュール１６は、状況制御装置１０の操作インターフェースを構成する。記憶モジュール１７は、複数の使用者に向けられた個別化された状況リスト、識別コード及び関連する情報を記憶する。生体情報取得モジュール１８は、生体情報を受け取り、その生体情報を情報セキュリティ及び機密保持のために記憶モジュール１７に記憶する。状況制御装置１０を使用しようとするとき、プロセッサ１３は、生体情報取得モジュール１８を操作して使用者の生体情報を受け取り、次いで使用者が操作のための特権を有するかどうかを認証するために、その生体情報を記憶モジュール１７に予め記憶された生体情報と比較する。
【００２３】
図２に示すように、中継装置２０は、少なくとも１つの信号入力端末と、少なくとも１つの信号出力端末と、第三無線モジュール２３とを有する。この少なくとも１つの信号入力端末のうちの１つは、スイッチモジュール２２に接続されている。少なくとも１つの信号出力端末のうちの１つは、照明モジュール２１に電気的に接続されている。第三無線モジュール２３は、第一無線プロトコルを用いて第一無線モジュールへの無線接続を確立する。使用者が操作インターフェース上で運転モードコマンドを行うと、中継装置２０は、状況制御装置１０から無線送信された、照明モジュール２１が対応する輝度のばらつきを発生するための制御信号を受信する。本実施形態では、第一無線プロトコルはＺｉｇＢｅｅプロトコルである。
【００２４】
感知装置３０は、第四無線モジュール３１と、第五無線モジュール３２と、スイッチモジュール３３とを有する。第四無線モジュール３１は、第二無線プロトコルを用いて第二無線モジュール１２への無線接続を確立し、感知モード信号を状況制御装置１０の第二無線モジュール１２に送り、第五無線モジュール３２は第一無線プロトコルを用いて中継装置２０の第三無線モジュール２３に無線接続する。感知装置３０が中継装置２０に対して、電化製品モジュールの運転状況を状況リストの内容に応じて制御するように指示するために、使用者は、状況制御装置１０を使用して感知装置３０を起動させることができる。本実施形態では、第二無線プロトコルはＲＦＩＤプロトコルである。
【００２５】
上記の宅内個別化状況制御システムは、使用者に向けられた個別化された状況リスト及び識別コードを操作インターフェースを介して編集するために、状況制御装置１０を備える。状況制御装置１０と中継装置２０との間、及び中継装置２０と感知装置３０との間の無線通信並びにデータ交換は、第一無線プロトコルを介して行うことができる。電化製品モジュールの運転状況は、状況リストの内容に応じて調整される。複数の中継装置２０及び複数の電化製品モジュールを備える環境に対しては、状況制御装置１０は、感知装置３０から送信された感知モード信号を受信し、感知装置３０を介して中継装置２０と通信し、そして中継装置２０に対してそれぞれの電化製品モジュールの運転状況を多様化して宅内個別化状況効果を発生させ、携帯性を成し遂げて、操作の利便性及び柔軟性を増進させるように指示する。
【００２６】
図３を参照して、当該宅内個別化状況システムが設置されている現場が示されており、この現場には、第一活動区域４０と、第二活動区域５０と、第三活動区域６０とが備えられている。第一活動区域４０、第二活動区域５０及び第三活動区域６０は区切られており、順次互いに隣り合っており、かつそれらは各々、いずれも内部に装着された複数の中継装置２０と、複数の電化製品モジュールと、複数の感知装置３０とを有する。この複数の電化製品モジュールは、第一照明器具〜第十照明器具Ｌ１〜Ｌ１０によって示される１０個の照明器具、空調機器ＡＩＲ、テレビ受像機ＴＶ、メディアプレーヤーＢＤ、増幅器ＡＭＰ及び電動カーテンＥＣを含む。第一照明器具〜第四照明器具Ｌ１〜Ｌ４、空調機器ＡＩＲ、テレビ受像機ＴＶ、メディアプレーヤーＢＤ、増幅器ＡＭＰ及び電動カーテンＥＣは第一活動区域内に装着されている。第五照明器具〜第七照明器具Ｌ５〜Ｌ７は第二活動区域内に装着されている。第八照明器具〜第十照明器具Ｌ８〜Ｌ１０は第三活動区域内に装着されている。複数の感知装置３０は、第一感知装置〜第四感知装置３０１〜３０４によって示される４個の感知装置を含む。
【００２７】
第一活動区域４０は入り口を有する。センサーロック４１及びドア照明器具ＤＬが入り口の外に装着されている。第一感知装置３０１が玄関に装着されている。第二感知装置３０２が第一活動区域内の入り口と反対側の場所に装着されている。この第二感知装置３０２は第一活動区域４０内に装着されており、第一照明器具〜第四照明器具Ｌ１〜Ｌ４、空調機器ＡＩＲ、テレビ受像機ＴＶ、メディアプレーヤーＢＤ、増幅器ＡＭＰ及び電動カーテンＥＣに対応する。第三感知装置３０３は第二活動区域５０内に装着されており、第五照明器具〜第七照明器具Ｌ５〜Ｌ７に対応する。第四感知装置３０４は第三活動区域６０内に装着されており、第八照明器具〜第十照明器具Ｌ８〜Ｌ１０に対応する。
【００２８】
使用者が状況制御装置１０とともに第一活動区域に入ると、使用者は、状況制御装置１０を使用してドア照明器具ＤＬのスイッチを入れることができ、情報セキュリティを備えた機密保持を補償する機構を確実にするための本人認証用に、生体情報取得モジュール１８が使用者の個人生体情報をプロセッサ１３に送るために、指紋走査用に自分の指を状況制御装置１０上に置くことができる。使用者の本人性が正しく認証されたあと、使用者は、入り口の扉を開けるために状況制御装置１０をセンサーロック４１の近くへと移動させることができ、ドア照明器具ＤＬは、扉が開かれた後に自動的にスイッチを切るように構成されることができる。
【００２９】
使用者が第一活動区域４０に入った後、第一感知装置３０１が感知信号を受信して、使用者に向けられた状況制御装置１０の状況リストの中から迎え入れ状況モードを行うために、使用者は状況制御装置１０を第一感知装置３０１の近くへと移動させることができる。あるいは、迎え入れ状況モードは、状況制御装置１０の操作インターフェース上で迎え入れ状況モードを選ぶことにより、直接を行うことができる。次いで、状況制御装置１０は、すべての中継装置２０に対して対応する電化製品モジュールを制御するよう指示する。迎え入れ状況モードが開始されると、電動カーテンＥＣは閉じた状態から開いた状態へと変更され、第一照明器具Ｌ１及び第四照明器具Ｌ４はそれらの最高輝度の５０％でスイッチが入れられ、第二照明器具Ｌ２及び第三照明器具Ｌ３はそれらの最高輝度でスイッチが入れられ、空調機器は２５℃設定でスイッチが入れられ、テレビ受像機ＴＶ及び増幅器ＡＭＰは予め設定されたチャネルがテレビ受像機ＴＶに映っている状態でスイッチが入れられる。
【００３０】
もしも状況リストが映画状況モードをも含んでおり、かつ使用者が迎え入れ状況モードを映画状況モードへと変更しようとするならば、第二感知装置３０２が感知信号を受信して、使用者に向けられた状況制御装置１０の状況リストの中から映画状況モードを行うために、使用者は状況制御装置１０を第二感知装置３０２の近くへと移動させる必要があるだけである。同様に、映画状況モード又は状況リストの中のいずれかの他の状況モードは、状況制御装置１０の操作インターフェース上でそれを選ぶことにより、直接行われることができる。映画状況モードが開始すると、電動カーテンＥＣは開いた状態から閉じた状態へと変更され、第一照明器具Ｌ１及び第四照明器具Ｌ４はそれらの最高輝度の３０％に調整され、第二照明器具Ｌ２及び第三照明器具Ｌ３はそれらの最高輝度の半分に調整され、テレビ受像機ＴＶはＨＤＭＩ（登録商標）チャンネルへと切り替えられ、ここでメディアプレーヤーＢＤがテレビ受像機ＴＶのＨＤＭＩ（登録商標）チャネルに対応しており、増幅器ＡＭＰは、音量が２０ｄＢに予め設定されたメディアプレーヤーＢＤに適切なモードへと切り替えられる。
【００３１】
図４に示すように、本発明に係る宅内個別化状況制御システムの第二実施形態は、状況制御装置１０と、携帯装置７０とを有する。携帯装置７０は、バッテリモジュール７１と第一電力ポート７２とを有する。バッテリモジュール７１は、第一電力ポート７２に電気的に接続されている。状況制御装置１０は、第二電力ポート１４１を有する点で上記の実施形態の状況制御装置とは異なる。状況制御装置１０の第二電力ポート１４１は、携帯装置７０の第一電力ポート７２に電気的に接続されており、これにより、携帯装置７０のバッテリモジュール７１が電力を状況制御装置１０に供給することができ、かつ状況制御装置１０の電力供給装置モジュール１４が携帯装置７０のバッテリモジュール７１を充電することができる。状況制御装置１０の太陽エネルギーモジュール１９は、太陽エネルギーを電気エネルギーに変換して、携帯装置７０のバッテリモジュール７１をさらに充電することができる。
【００３２】
状況制御装置１０は、音声起動制御の目的で音声収集装置にさらに接続されている。使用者が状況制御装置１０上で上記の状況モードのうちの１つを行おうとする場合、この音声収集装置は、その状況モード、例えば映画状況モードを起動させるための音声制御コマンドを受信するために作用し、これはマイクロホンであってもよい。さらに、感知装置３０は、音声プロンプト機能を特徴とする告知装置にさらに接続されている。状況リストにある状況モードが連続的に行われた後、この告知装置は「１番映画状況モードが行われました」等の音声プロンプトを発して、使用者に知らせることになる。
【００３３】
本発明に係る宅内個別化状況制御方法は、上記の実施形態からすでに明らかであり、宅内環境の中にある複数の電化製品モジュールによってもたらされる環境雰囲気又は状態を少なくとも１つの無線プロトコルを介して制御するための上記の状況制御装置によって行われる。図５に示すように、当該宅内個別化状況制御方法は以下の工程を有する。
【００３４】
工程Ｓ４１：複数の電化製品モジュールから送信された無線信号を受信して、すべての活動区域４０、５０、６０の中にあるすべての電化製品モジュールを把握する。これらの電化製品モジュールは、上記の中継装置２０を介して上記無線信号を送信する。
【００３５】
工程Ｓ４２：上記無線信号によって表される情報を状況編集インターフェースから選択して少なくとも１つの状況リストを規定するために、操作インターフェースとしての状況編集インターフェースを準備する。この少なくとも１つの状況リストの各々は予め設定された識別コードを有する。
【００３６】
工程Ｓ４３：状況モード実行コマンドが受信されたかどうかを判定する。状況モード実行コマンドが受信されないときは、工程Ｓ４３を再度行う。
【００３７】
工程Ｓ４４：対応する電化製品モジュールへ制御信号を無線送信し、対応する電化製品モジュールが、少なくとも１つの状況リストの内容に応じて対応する動作、例えば輝度調整、音量調整等を行い、宅内個別化状況効果を発生させる。
【００３８】
使用者は、状況制御装置１０を使用して、信号受信範囲内にある複数の電化製品モジュールから中継装置２０を介して送信された制御信号を無線で受信することができ、そして状況リストの内容及び予め設定された識別コードを状況制御装置１０の状況編集インターフェース上で規定することができる。使用者が状況制御装置１０から状況モード実行コマンドを入力すると、制御信号が対応する電化製品モジュールへ無線送信され、これにより、複数の電化製品モジュールが、状況リストの内容に応じてその環境の中の雰囲気及び状態を変更するための操作を行い、宅内個別化状況効果を発生させる。
【００３９】
図６に示すように、使用者が異なる環境へと移動するか又は宅内状況効果を変更しようとする場合、上記の工程Ｓ４３は以下の工程に置き換えられる。
【００４０】
工程Ｓ４３１：感知モード信号が受信されたかどうかを判定する。感知モード信号が受信されないときは、工程Ｓ４３１を再度行う。
【００４１】
工程Ｓ４３２：識別コード及びこの識別コードに対応する上記少なくとも１つの状況リストのうちの１つを感知モジュールへと送信する。
【００４２】
上記の工程Ｓ４４は以下の工程に置き換えられる。
【００４３】
工程Ｓ４４’：感知モジュールに対して、受信された状況リストに応じて操作を行って宅内個別化状況効果を発生させるように、対応する電化製品モジュールを制御するよう指示する。
【００４４】
従って、使用者が元の宅内状況効果を変更しようとするとき、状況制御装置１０は、対応する感知モジュールの近くへと移動され、感知モード信号が受信されたかどうかを判定する必要があるだけである。感知モード信号が受信されると、識別コード及びその識別コードに対応する状況リストが対応する感知モジュールへと送信され、これにより、対応する感知モジュールは、操作を行って宅内個別化状況効果を発生させるように、対応する電化製品モジュールをさらに制御する。状況制御装置１０が与えられると、状況制御装置１０は、携帯性がありかつ環境面の制約が少ないやり方で、編集可能で個別化された宅内状況効果を発生させるために使用することができ、これにより宅内個別化状況効果を実現するに際しての操作の利便性及び柔軟性が増進される．
【００４５】
本発明の構造及び機能の詳細とともに本発明の多くの特徴及び利点を上記の説明の中で示してきたが、本開示は例示にすぎない。添付の特許請求の範囲を表現する用語の広い一般的な意味が示す全範囲に及ぶ本発明の技術思想の範囲内で、細部において、とりわけ各部の形状、サイズ及び配置に関して変更が加えられてもよい。
【符号の説明】
【００４６】
１０  状況制御装置
１１  第一無線モジュール
１２  第二無線モジュール
１３  プロセッサ
１４  電力供給装置モジュール
１５  入力モジュール
１６  ディスプレイモジュール
１７  記憶モジュール
１８  生体情報取得モジュール
１９  太陽エネルギーモジュール
２０  中継装置
２１  照明モジュール
２２  スイッチモジュール
２３  第三無線モジュール
３０  感知装置
３１  第四無線モジュール
３２  第五無線モジュール
３３  スイッチモジュール
４０  第一活動区域
４１  センサーロック
５０  第二活動区域
６０  第三活動区域
７０  携帯装置
７１  バッテリモジュール
７２  第一電力ポート
１４１  第二電力ポート
３０１，３０２，３０３，３０４  感知装置
【図１】
2016010149.tif 000003
【図２】
2016010149.tif 000004
【図３】
2016010149.tif 000005
【図４】
2016010149.tif 000006
【図５】
2016010149.tif 000007
【図６】
2016010149.tif 000008